(57)【特許請求の範囲】
【請求項１】
上端開口びん類収集ケースＣを上下反転させる反転装置１２を備えており、反転装置１２が、水平回転中心Ｏを有する反転フレーム３１と、反転フレーム３１の回転中心Ｏを挟んでその両側に配置されかつ反転フレーム３１とともに回転しうるように反転フレーム３１に取付けられている一対のベルトコンベヤ３２と、反転フレーム３１を回転させる駆動手段３３とを有しており、両コンベヤ３２のベルト送り側経路が、反転フレーム３１の回転中心Ｏと平行にのびかつケースＣの高さに相当する間隔をおいて相対させられているリサイクル用びん類処理設備。
【請求項２】
水平姿勢の両ベルトコンベヤ３２のベルト送り側経路終端にケース搬送コンベヤ１３がその搬送経路始端を接続しうるように配置され、ケース搬送コンベヤ１３が、上下逆様のケースＣをまたがらせた状態で支持しうる一対のローラ列６１を有しており、両ローラ列６１の間に上下逆様のケースＣ内から落下するびん類を通過させうる間隙が形成されており、ケース搬送コンベヤ１３の搬送経路途上にケース洗浄装置１４が配置されている請求項１記載のリサイクル用びん類処理設備。
【請求項３】
両ローラ列６１の間にびん類搬送手段の搬送経路始端が臨ませられ、搬送経路の途中にびん類通過抵抗部材６５が配置されており、びん類搬送手段が、搬送経路にそって配置された傾斜状びん類摺動案内板６４を有しており、びん類通過抵抗部材６５が、びん類摺動案内板６４上に垂れ下がるように吊り下げられたチェーン６７と、チェーン６７に被覆させられている弾性チューブ６８とによって構成されている請求項２記載のリサイクル用びん類処理設備。
【発明の詳細な説明】
【０００１】
【発明の属する技術分野】
この発明は、リサイクルのためにケースに入れられて回収されたびん類をケースから取出して、後工程での選別作業に備えるとともに、ケースを再使用のために洗浄等を行うびん類処理設備に関する。
【０００２】
【従来の技術】
びん類を含めた資源の再利用が、平成９年４月の容器包装リサイクル法の施行により、最近よりいっそう叫ばれている。
【０００３】
びん類のリサイクルに際しては、自治体が各町内に配布した回収ケースに家庭等から出たびん類が投入される。びん類を回収したケースは定期的に処理設備に集められる。処理設備では、搬入されたケースはフォークリフトにて受入ヤードに荷下しされた後、１ケース毎に反転させてケースからびん類を取出していた。従来、ケースを反転させる作業は、人手によって行われていたが、これは大変な労力を要する作業であった。
【０００４】
この発明の目的は、びん類を回収したケースを自動的に反転することができ、びん類の処理を省力化することができるびん類処理設備を提供することにある。この明細書において、びん類とは、リサイクルされる資源ごみ、例えば、生きびん（びんの形そのままで再利用するびん）、空きびん、空き缶、ペットボトル等を指すものとする。
【０００５】
【課題を解決するための手段】
リサイクル用びん類処理設備は、上端開口びん類収集ケースを上下反転させる反転装置を備えており、反転装置が、水平回転中心を有する反転フレームと、反転フレームの回転中心を挟んでその両側に配置されかつ反転フレームとともに回転しうるように反転フレームに取付けられている一対のベルトコンベヤと、反転フレームを回転させる駆動手段とを有しており、両コンベヤのベルト送り側経路が、反転フレームの回転中心と平行にのびかつケースの高さに相当する間隔をおいて相対させられているものである。
【０００６】
リサイクル用びん類処理設備では、反転装置の両ベルトコンベヤを水平姿勢にした状態で両ベルトコンベヤの間にびん類回収ケースを導入し、反転フレームとともに両ベルトコンベヤを１８０度回転させると、回収ケースは開口を下に向けた上下逆様の反転姿勢となる。したがって、びん類を回収したケースを自動的に反転することができる。
【０００７】
水平姿勢の両ベルトコンベヤのベルト送り側経路終端にケース搬送コンベヤがその搬送経路始端を接続しうるように配置され、ケース搬送コンベヤが、上下逆様のケースをまたがらせた状態で支持しうる一対のローラ列を有しており、両ローラ列の間に上下逆様のケース内から落下するびん類を通過させうる間隙が形成されており、ケース搬送コンベヤの搬送経路途上にケース洗浄装置が配置されていると、反転姿勢のケースを両ベルトコンベヤの間からケース搬送コンベヤ上に排出すると、ケースはケース搬送コンベヤの両ローラ列で受けられるとともに、ケース内から落下するびん類は両ローラ列間の間隙を通過するため、ケースとびん類が別々に仕分けられ、仕分けられたケースは洗浄装置によって洗浄される。両ローラ列の間にびん類搬送手段の搬送経路始端が臨ませられ、搬送経路の途中にびん類通過抵抗部材が配置されており、びん類搬送手段が、搬送経路にそって配置された傾斜状びん類摺動案内板を有しており、びん類通過抵抗部材が、びん類摺動案内板上に垂れ下がるように吊り下げられたチェーンと、チェーンに被覆させられている弾性チューブとによって構成されていると、両ローラ列の間を通過したびん類はびん類摺動案内板にそって落下し、その途中でびん類通過抵抗部材と接触して落下速度が低下させられるため、びん類の割れを防止できる。
【０００８】
【発明の実施の形態】
この発明の実施の形態を図面を参照してつぎに説明する。
【０００９】
以下の説明において、前後とは、図１を基準として、図１の右側を前、これと反対側を後といい、左右とは、前から見て、その左右の側を左右というものとする。
【００１０】
図２および図３を参照すると、ケースＣが上下逆様の状態で示されているが、ケースＣは、プラスチック製上端開口箱型のものである。ケースＣには大きさおよび色が種々雑多のびんＢが入れられている。
【００１１】
図１を参照すると、びん類回収設備は、前から後にかけて順次配置された受入コンベヤ１１、反転装置１２、搬送コンベヤ１３、洗浄装置１４および搬出コンベヤ１５とを備えている。
【００１２】
受入コンベヤ１１は、ローラコンベヤであって、後フリーローラコンベヤ２１および前パワーローラコンベヤ２２よりなる。
【００１３】
前パワーローラコンベヤ２２の搬送経路にそってケース側部案内用水平状レール２３が設けられるとともに、搬送経路前端近くに可倒式ストッパ２４が設けられている。前パワーローラコンベヤ２２には、この上のケースＣの有無を検出する第１センサ２５が備えられている。
【００１４】
反転装置１２は、図２および図３に詳しく示すように、水平回転中心Ｏを有する反転フレーム３１と、反転フレーム３１の回転中心を挟んでその両側に配置されかつ反転フレーム３１とともに回転しうるように反転フレーム３１に取付けられている一対のベルトコンベヤ３２と、反転フレーム３１を回転させる駆動手段３３とを有している。また、反転装置１２には、装置内のケースＣの有無を検出する第２センサ３４が備えられている。
【００１５】
反転フレーム３１は、前後のリング４１と、前後のリング４１を周方向にほぼ４等分する位置において、互いに平行に前後方向にのびた４つの水平連結バー４２と、各リング４１において、それぞれの内部を互いに平行に横断させられた一対の支持バー４３とによって構成されている。後リング４１の後面にはこれにそってのびたエンドレス・ローラチェーン４４が固定状に張り巡らされている。
【００１６】
ベルトコンベヤ３２は、対応する支持バー４３に固定されている前後方向にのびた一対のサイドフレーム４５と、両サイドフレーム４５に間隔をおいて渡されている前駆動プーリ４６および後従動プーリ４７と、前駆動プーリ４６および後従動プーリ４７に巻き掛けられているエンドレスベルト４８とよりなる。
【００１７】
両サイドフレーム４５には水平レール５６がそれぞれ設けられている。これらのレール５６は、ケースＣの側部を案内しかつ反転時のケースＣの落下防止作用をなす。
【００１８】
両ベルトコンベヤ４８のエンドレスベルトの対向部分が送り側経路を形成している。両ベルトコンベヤ４８の送り側経路は、反転フレーム３１の回転中心Ｏと平行にのびかつケースＣの高さに相当する間隔をおいて相対させられている。
【００１９】
図３に示すように、前リング４１の外面には２つの作動子５０が１８０度の間隔をおいて設けられるとともに、ベルト４８の送り側経路が水平であるときに、２つの作動子５０の一方を検出するように近接スイッチ４９が配置されている。
【００２０】
駆動手段３３は、前後のリング４１右斜め下方を前後方向にのびた水平駆動軸５１と、駆動軸５１の左方をこれと平行にのびた水平従動軸５２と、駆動軸５１および従動軸５２にそれぞれ２つずつ取付けられかつ前後のリング４１外面下部を適所において支持している４つの支持ローラ５３と、駆動軸５１に取付けられかつチェーン４４と噛合わされている駆動歯車５４と、駆動軸５１の後端に連結された回転出力軸を有するモータ５５とを備えている。
【００２１】
搬送コンベヤ１３は、図４および図５に詳しく示すように、駆動ローラコンベヤであって、左右一対のつば付ローラ列６１を有している。また、搬送コンベヤ１３上のケースＣの有無を検出しうるように第３センサ６２が配置されている。
【００２２】
両ローラ列６１の間隔は、上下逆様のケースＣをまたがらせて載せうるように設定されている。また、両ローラ列６１にまたがらされたケースＣの側部を案内しうあるように水平レール５７が配置されている。
【００２３】
両ローラ列６１の間には、左斜め下向きにのびたビン類排出シュート６３の上端開口が臨ませられている。シュート６３の下端には傾斜状びん類摺動案内板６４が連設されている。びん類摺動案内板６４上にはびん類通過抵抗部材６５が左右方向に複数列に配設されている。各列のびん類通過抵抗部材６５は、図６に示すように、前後方向に一列に並べられた複数の可撓性線材６６よりなる。線材６６は、図７に詳しく示すように、スチールチェーン６７と、これに被覆されているビニールチューブ６８とよりなる。線材６６の下部をびん類摺動案内板６５に傾斜にそってそわせるようにびん類摺動案内板６５の上方に設けられた支持部材６９から線材６６が吊下げられている。
【００２４】
図８および図９に、洗浄装置１４の詳細が示されている。洗浄装置１４は、搬送コンベヤ１３の搬送経路前端に接続された搬送経路を有する洗浄コンベヤ７１を有している。洗浄コンベヤ７１は、搬送コンベヤ１３と同じ駆動ローラコンベヤで、一対のローラ列７２を有している。ローラ列７２の下方には洗浄液タンク７３が設けられている。洗浄液タンク７３の上端開口左右両縁部には搬送経路をまたぐように洗浄液飛散防止用トンネル状カバー７４が設けられている。カバー７４の前後両端にはゴム製カーテン７５が吊下げられている。タンク７３内の液面上方には左下がり傾斜状フィルタ７６が設けられている。タンク７３内の液中には洗浄水ポンプ７７が備えられている。タンク７３およびカバー７４によって覆われたスペース適所には多数の洗浄水ノズル７８がケースＣ内外に洗浄水を噴射しうるように配置されている。ポンプ７７とノズル７８の間には洗浄水パイプ７９が配管されている。
【００２５】
搬出コンベヤ１５は、詳しく図示しないが、搬送コンベヤ１３ないし洗浄コンベヤ７１と同じ駆動ローラコンベヤである。また、搬出コンベヤ１５の搬送経路にそって、搬送コンベヤ１３と同じように、水平レール５８が配置されている（図１）。搬出コンベヤ１５の搬送経路下方には滴下洗浄水受け用パン８１が設けられている。
【００２６】
びんＢを収容したケースＣは、受入コンベヤ１１のフリーローラコンベヤ２１にのせられ、ここで生きびんの回収が行われる。生きびんを回収したケースＣは、フリーローラコンベヤ２１からパワーローラコンベヤ２２に移され、これから先は、自動搬送される。
【００２７】
いま、パワーローラコンベヤ２２は駆動されており、ストッパ２４は倒伏している。反転装置１２の両反転コンベヤ３２は、それぞれの送り側経路を水平姿勢にし、ベルト４８を運転した状態で待機させられている。ベルト４８上にケースＣは無い。
【００２８】
ケースＣがパワーローラコンベヤ２２にのせられると、ケースＣはパワーローラコンベヤ２２上を通過して両反転コンベヤ３２間に送り込まれる。送り込まれたケースＣを第２センサ３４が検出すると、反転コンベヤ３２が停止させられ、ストッパ２４が起立させられる。
【００２９】
反転コンベヤ３２が停止させられると、続いて、反転フレーム３１が１８０度回転させられる。モータ５５を作動させて駆動軸５１を回転させると、駆動歯車５４およびチェーン４４によって反転フレーム３１が回転させられる。反転フレーム３１の回転により、両反転コンベヤ３２とともにケースＣも回転させられ、ケースＣはその開口を下に向けた上下逆様の反転姿勢となる。
【００３０】
反転フレーム３１が１８０度回転させられると、これを近接スイッチ４９が検出し、反転フレーム３１の回転が停止させられ、かつ、反転コンベヤ３２が再起動させられる。これにより、上下逆様のケースＣが両反転コンベヤ３２の間から排出され、排出されたケースＣは搬送コンベヤ１３にのせられる。
【００３１】
つぎのケースＣがパワーローラコンベヤ２２にのせられ、これを第１センサ２５が検出すると、パワーローラコンベヤ２２が停止させられる。
【００３２】
搬送コンベヤ１３上のケースＣを第３センサ６２が検出すると、ストッパ２４が倒伏させられ、パワーローラコンベヤ２２が再起動させられる。これにより、つぎのケースＣがパワーローラコンベヤ２２から両反転コンベヤ３２の間に送り込まれる。
【００３３】
搬送コンベヤ１３上では、ケースＣだけが両ローラ列６１で受けられ、前向きに搬送されていくが、この間に、ケースＣ内のびんＢは両ローラ列６１の間を通って落下する。びんＢを排出したケースＣは、搬送コンベヤ１３から洗浄コンベヤ７１に乗り移り、洗浄コンベヤ７１上を搬送されていく間に、ノズル７８から洗浄水を噴射されて洗浄される。洗浄済のケースＣは、洗浄コンベヤ７１から搬出コンベヤ１５へ移され、つづいて、図示しないフリーコンベヤによって貯留ヤードへと搬送される。
【００３４】
一方、ケースＣ内から落下されられたびんＢは、シュート６３によって摺動案内板６４へと導かれ、摺動案内板６４にそって落下し、図示しない受入ホッパに投入される。びんＢが摺動案内板６４にそって落下する間に、びんＢはびん類通過抵抗部材６５を何段にも通り抜けていくため、びんＢの落下速度が低下させられ、これにより、破びんが防止され、後工程で実施されるびんの大きさ別選別および色選別が行い易くなる。
【００３５】
【発明の効果】
この発明によれば、反転装置の両ベルトコンベヤを水平姿勢にした状態で両ベルトコンベヤの間にびん類回収ケースを導入し、反転フレームとともに両ベルトコンベヤを１８０度回転させると、回収ケースは開口を下に向けた上下逆様の反転姿勢となるから、びん類を回収したケースを自動的に反転することができる。
【図面の簡単な説明】
【図１】この発明によるごみ類処理設備の側面図である。
【図２】同ごみ類処理設備の反転装置の側面図である。
【図３】同反転装置の正面図である。
【図４】同ごみ処理設備の搬送コンベヤの側面図である。
【図５】同搬送コンベヤおよびその周辺部の垂直横断面図である。
【図６】同搬送コンベヤに備えられたびん類通過抵抗部材の詳細図である。
【図７】同びん類通過抵抗部材の一部拡大断面図である。
【図８】同ごみ類処理設備の洗浄装置の側面図である。
【図９】同洗浄装置の垂直横断面図である。
【符号の説明】
１２  反転装置
１３  搬送コンベヤ
１４  洗浄装置
３１  反転フレーム
３２  ベルトコンベヤ
３３  駆動装置
６１  ローラ列
６４  びん摺動案内板
６５  びん通過抵抗部材
６７  チェーン
６８  ビニールチューブ
Ｃ  ケース
Ｂ  びん
Ｏ  回転中心
【図１】
0003543171.tif 000002
【図２】
0003543171.tif 000003
【図３】
0003543171.tif 000004
【図４】
0003543171.tif 000005
【図５】
0003543171.tif 000006
【図６】
0003543171.tif 000007
【図７】
0003543171.tif 000008
【図８】
0003543171.tif 000009
【図９】
0003543171.tif 000010